(57)【要約】      （修正有）【課題】プラスチック缶蓋の手提げ構造を提供する。【解決手段】缶蓋上に、直接、手提げを設置し、購買者は、携帯が便利であり、買い物袋を準備する手間が省けるような、手提げを有するプラスチック缶蓋の改良構造で、蓋缶は一体成型で、底縁は、切り取り線により、封蓋環帯を延伸し、封蓋環帯の外側縁に、開くことが出来る耳を設け、その特徴は、封蓋環帯外側縁の耳に、手提げを有し、手提げは、それぞれ、両端により、封蓋環帯と連結し、内側領域間隔は、連結点により、封蓋環帯外表面に連接されて、上に引くと持ち手になる構造を有する。【選択図】図３
0003114688.tif 000002
【実用新案登録請求の範囲】
【請求項１】
プラスチック缶蓋の手提げ構造であって、蓋缶は一体成型で、底縁は、切り取り線により、封蓋環帯を延伸し、前記封蓋環帯の外側縁に、開くことが出来る耳を設け、その特徴は、前記封蓋環帯外側縁の耳に、手提げを有し、前記手提げは、それぞれ、両端により、前記封蓋環帯と連結し、内側領域間隔は、連結点により、前記封蓋環帯外表面に連接されて、上に引くと持ち手になる構造を有することを特徴とするプラスチック缶蓋の手提げ構造。
【請求項２】
前記手提げは、二段の相対設置を形成し、両端は、それぞれ、前記封蓋環帯と連結し、各内側は更に、前記連結点におり、前記封蓋環帯外表面と連結し、前記連結点を開く時、二つの手提げになる構造を有することを特徴とする請求項１に記載のプラスチック缶蓋の手提げ構造。
【請求項３】
前記封蓋環帯底縁は、更に、補強束縁を延伸し、前記補強束縁と前記封蓋環帯間は、耳から、一段の切り取り線を有することを特徴とする請求項１、或いは、２に記載のプラスチック缶蓋の手提げ構造。
【請求項４】
前記封蓋環帯底縁は、前記切り取り線により、束結リングを延伸し、前記封蓋環帯は、適当な空間を保留し、前記缶蓋は、連接片により、前記束結リングと連結し、前記封蓋環帯を外した後、前記缶蓋は、前記連接片により蓋合することを特徴とする請求項１、或いは、２に記載のプラスチック缶蓋の手提げ構造。
【請求項５】
プラスチック蓋環の手提げ構造であって、蓋缶は一体成型で、底縁は、切り取り線により、封蓋環帯を延伸し、前記封蓋環帯の外側縁に、開くことが出来る耳を設け、その特徴は、前記缶蓋頂面に、手提げを連結し、前記手提げは、一領域により前記缶蓋頂面に連結し、もう一つの領域は、連結点により、前記缶蓋頂面に連接されて、上に引くと持ち手になる構造を有することを特徴とするプラスチック缶蓋の手提げ構造。
【請求項６】
前記缶蓋頂面の二段は、前記連結点により連結される手提げで、二つの手提げは、一領域により、前記缶蓋頂面に連結し、上に引くと持ち手になる構造を有することを特徴とする請求項５に記載のプラスチック缶蓋の手提げ構造。
【請求項７】
前記封蓋環帯底縁は、更に、補強束縁を延伸し、前記補強束縁と前記封蓋環帯間は、耳から、一段の切り取り線を有することを特徴とする請求項５、或いは、６に記載のプラスチック缶蓋の手提げ構造。
【考案の詳細な説明】
【技術分野】
【０００１】
本考案は、手提げを有するプラスチック缶蓋の改良構造に関するものである。
【背景技術】
【０００２】
図１、図２は、公知のプラスチック缶蓋構造の立体図である。主に、缶蓋１０内壁に、凸縁１１を環設し、底縁は、切り取り線１２により、若干内側に傾斜した封蓋環帯１３を延伸し、缶体２０に対し、密封包覆の結合を形成する。封蓋環帯１３は、外に向かって突出した耳１４を有し、連結点１５により、封蓋環帯１３の外表面に連接されている。連接点を切り取り、封蓋環帯１３を取り外した後、缶蓋１０が開く。
【０００３】
上述のような一般の粉ミルク缶、及び、プラスチック缶蓋は、図２で示されるように、粉ミルク缶を例とすると、その缶蓋上には、手提げがなく、購買者は、買い物袋を持参して持ち帰らなければならないので、非常に不便である。
【考案の開示】
【考案が解決しようとする課題】
【０００４】
上述の欠点を改善するため、本考案は、缶蓋上に、直接、手提げを設置し、購買者は、携帯が便利であり、買い物袋を準備する手間が省けるような、手提げを有するプラスチック缶蓋の改良構造を提供することを目的とする。
【０００５】
本考案は、二つの手提げ耳を提供し、強い構造で、携帯に便利な、プラスチック缶蓋の手提げ構造を提供することをもう一つの目的とする。
【課題を解決するための手段】
【０００６】
上述の目的を達成するため、本考案は、缶蓋内壁に、凸縁を環設し、底縁は、切り取り線により、若干内側に傾斜した封蓋環帯を延伸し、封蓋環帯は、開いて出す形式の耳を有し、耳の外環縁位置に、半円状の一つの手提げ、或いは、半円状に相対する二つの手提げを有し、各手提げ両端は、それぞれ、封蓋環帯上に連結されている。内側間隔は、連結点により、封蓋環帯と連結定位する。この他、手提げは、缶蓋頂面に取り付けられ、即ち、缶蓋頂面中央に、半円状の一つの手提げ、或いは、半円状に相対する二つの手提げを有し、平直段により、缶蓋頂面と連結し、弧形段は、連結点により缶蓋表面に連接される。
【考案の効果】
【０００７】
本考案の携帯に便利な粉ミルク缶、及び、その缶蓋の改良構造は、蓋缶上に、直接、手提げ耳を取り付け、消費者が購買後、持ち帰りに便利で、買い物袋を購入、或いは、持参する手間を省くことが出来る。
【考案を実施するための最良の形態】
【０００８】
図３、図４は、本考案の実施例を示す図である。蓋缶３０は一体成型で、内環面に凸縁３１を有し、底縁は、切り取り線３８により、若干内側に傾斜した封蓋環帯３２を延伸し、封蓋環帯３２のある箇所に、一段の点状連接した耳３３を設けている。耳３３のもう一側の封蓋環帯３２の外環縁に、一段の半円状手提げ３４を取り付け、半円状手提げ３４両端は、封蓋環帯３２に連接され、内側間隔は、連結点３５により、封蓋環帯３２外壁に連接される。また、封蓋環帯３２の底縁は、適当な幅の補強束縁３６を有し、補強束縁３６と封蓋環帯３２間は、耳３３から、適当な長さの切り取り線３７を有する。
【０００９】
上述の構造から分かるように、本考案の蓋缶３０は、缶体２０と結合使用する時、手提げ３４を消費者に提供し、図５で示されるように、手提げ３４と封蓋環帯３２間の連結点３５を開けば、簡単、快速に、手提げ３４が上に引っ張れ、操作上、便利である。
【００１０】
図６で示されるように、本考案は、購買者に手提げを提供し、封蓋環帯３２と補強束縁３６を上向けに引っ張る時、封蓋環帯３２、及び、補強束縁３６と重量が下向けの缶体２０は、上下の反向張力を形成し、封蓋環帯３２と補強束縁３６は、缶体２０の缶壁に向かって、更に、緊束し（特に、封蓋環帯と缶体間が凹凸を呈し、相互に結合する）、堅固になって、脱落しない。
【００１１】
図７で示されるように、本考案の缶蓋３０の封蓋環帯３２の外側に、二段の点状に連接した手提げ３４’を有し、両手下げ３４’の両端は、それぞれ、耳３３両側、及び、対面側に設けられ、連結点３５を引っ張れば、図８で示されるような手提げになる。
【００１２】
図９、図１０は、本考案の単一の手提げ、或いは、二つの手提げを缶蓋４０の頂面に取り付けた図で、一つ、或いは、二つの半円状の手提げ４１、４１’は、領域Ａにより、缶蓋４０頂面に連結され、もう一つの領域底面は、連結点４２により、缶蓋４０頂面二連接される。手提げ４１、４１’は、連結点４２を開くだけで、上に引っ張ると手提げとなる。
【００１３】
図１１〜図１３で示されるように、本考案の缶蓋本体５０底縁は、連接片５１により、束結リング５２を連結し（缶蓋本体５０、及び、束結リング５２内環面は、凸縁５８、５９を設けている）、缶蓋本体５０が缶体６０に結合した後、連接片５１により上に蓋合する。缶蓋本体５０、及び、束結リング５２間は、切り取り線５３により、連接片５１両側に連結され、封蓋環帯５４の外環縁位置に、一つ、或いは、二つの半円の手提げ５５、５５’が設けられ、手提げ５５、５５’の両側は、それぞれ、封蓋環帯５４に連結されている。内側間隔は、連結点５６と封蓋環帯５４により、連結定位し、封蓋環帯５４一端に、耳５７を有する。
【００１４】
本考案のプラスチック缶蓋の耳構造は、プラスチックの缶蓋上に、直接、耳を延伸付加して取り付けた設計で、携帯に便利で、実用性がある。
【図面の簡単な説明】
【００１５】
【図１】公知のプラスチック缶蓋構造を示す図である。
【図２】公知の使用状態を示す図である。
【図３】本考案の立体図である。
【図４】本考案の平面図である。
【図５】本考案と缶体結合使用の立体図である。
【図６】本考案と缶体結合使用の平面図である。
【図７】本考案と二つの手提げの立体図である。
【図８】図７と缶体結合使用の立体図である。
【図９】本考案のもう一つの実施例による一つの手提げを示す図である。
【図１０】本考案のもう一つの実施例による一つの手提げを示す図である。
【図１１】本考案の第二実施例による一つの手提げを示す図である。
【図１２】本考案の第二実施例による二つの手提げを示す図である。
【図１３】本考案の第二実施例と缶体結合を示す図である。
【符号の説明】
【００１６】
１０、３０、４０…缶蓋
１１、３１…凸縁
１３、３２、５４…封蓋環帯
１４、３３、５７…耳
３４、３４’、４１、４１’、５５、５５’…手提げ
３６…補強束縁
１２、３７、３８、５３…切り取り線
２０、６０…缶体
１５、３５、４２、５６…連結点
Ａ…領域
５０…缶蓋本体
５１…連結片
５２…束結リング
５８、５９…凸縁
【図１】
0003114688.tif 000003
【図２】
0003114688.tif 000004
【図３】
0003114688.tif 000005
【図４】
0003114688.tif 000006
【図５】
0003114688.tif 000007
【図６】
0003114688.tif 000008
【図７】
0003114688.tif 000009
【図８】
0003114688.tif 000010
【図９】
0003114688.tif 000011
【図１０】
0003114688.tif 000012
【図１１】
0003114688.tif 000013
【図１２】
0003114688.tif 000014
【図１３】
0003114688.tif 000015